(57)【要約】【課題】画像をスライドショーとして表示する場合に、表示される画像に適した楽曲を再生することができる。【解決手段】複数の画像をフレーム画像として含むビデオストリームを格納しているビデオストリーム格納部と、ビデオストリームを再生する再生部と、再生部を遠隔操作するリモートコントローラと、ビデオストリームを表示する表示部とを備え、リモートコントローラは、画像を再生するスケジュール、及び画像毎の画像情報を格納しているスケジュール格納部と、複数の楽曲のそれぞれを楽曲情報に対応付けて格納している楽曲格納部と、スケジュールに従って画像を再生させるべく再生部を遠隔操作する遠隔操作部と、再生されている画像に対応する楽曲を選択する楽曲選択部と、一の画像を含む複数の画像が再生されている場合に、当該一の画像に対応する楽曲を再生する楽曲再生部とを有する電子アルバム表示システムを提供する。【選択図】図１
2005341511.tif 000002
【特許請求の範囲】
【請求項１】
複数の画像を含む電子アルバムを表示する電子アルバム表示システムであって、
前記複数の画像をフレーム画像として含むビデオストリームを格納しているビデオストリーム格納部と、
前記ビデオストリームを再生する再生部と、
無線通信によって前記再生部を遠隔操作するリモートコントローラと、
前記再生部により再生される前記ビデオストリームを表示する表示部と
を備え、
前記リモートコントローラは、
前記複数の画像のうち、少なくとも一部の画像を再生するスケジュール、及び当該少なくとも一部の画像のそれぞれについて、当該画像に固有の情報である画像情報を格納しているスケジュール格納部と、
複数の楽曲のそれぞれを、当該楽曲に固有の情報である楽曲情報に対応付けて格納している楽曲格納部と、
前記少なくとも一部の画像のそれぞれを前記スケジュールに従って再生させるべく、前記再生部を遠隔操作する遠隔操作部と、
前記再生部により再生されている一の前記画像における前記画像情報、及び前記複数の楽曲のそれぞれにおける前記楽曲情報の関連度に基づいて、前記一の画像に対応する前記楽曲を、前記複数の楽曲から選択する楽曲選択部と、
前記一の画像を含む、連続して再生される複数の前記画像が、前記再生部により再生されている場合に、当該一の画像に対応する前記楽曲を再生する楽曲再生部と
を有する電子アルバム表示システム。
【請求項２】
前記スケジュール格納部は、前記スケジュール、及び前記少なくとも一部の画像のそれぞれについて、当該画像の撮像日時を示す撮像日時情報を格納しており、
前記楽曲格納部は、前記複数の楽曲のそれぞれを、当該楽曲について予め定められた期間を示す期間情報に対応付けて格納しており、
前記楽曲選択部は、前記一の画像における撮像日時が含まれる前記期間を示す前記期間情報に対応する前記楽曲を、前記複数の楽曲から選択する
請求項１に記載の電子アルバム表示システム。
【請求項３】
前記楽曲選択部は、前記一の画像に対応する前記楽曲を選択する場合に、前記一の画像における撮像日時、及び前記表示部によって前記一の画像の直前に表示される他の前記画像における撮像日時の差が、予め定められた基準値より小さい場合、前記他の画像に対応するとして選択した前記楽曲を選択し、
前記楽曲再生部は、前記他の画像に対応するとして選択された前記楽曲が、前記一の画像に対応するとして選択された場合、前記再生部による前記一の画像の再生時に、当該選択された楽曲を引き続き再生する
請求項２に記載の電子アルバム表示システム。
【請求項４】
前記スケジュール格納部は、前記スケジュール、及び前記少なくとも一部の画像のそれぞれについて、当該画像の撮像地点を示す撮像地点情報を格納しており、
前記楽曲格納部は、前記複数の楽曲のそれぞれを、当該楽曲に関連する地域を示す地域情報に対応付けて格納しており、
前記楽曲選択部は、前記一の画像における撮像地点が含まれる地域、及び前記複数の楽曲のそれぞれにおける前記地域情報の関連度に基づいて、前記複数の楽曲から前記楽曲を選択する
請求項１に記載の電子アルバム表示システム。
【請求項５】
前記スケジュール格納部は、前記スケジュール、及び前記少なくとも一部の画像のそれぞれについて、当該画像の内容を示す画像内容情報を格納しており、
前記楽曲格納部は、前記複数の楽曲のそれぞれを、当該楽曲の内容を示す楽曲内容情報に対応付けて格納しており、
前記楽曲選択部は、前記一の画像における前記画像内容情報、及び前記複数の楽曲のそれぞれにおける前記楽曲内容情報の関連度に基づいて、前記複数の楽曲から前記楽曲を選択する
請求項１に記載の電子アルバム表示システム。
【請求項６】
前記スケジュール格納部は、前記スケジュール、及び前記少なくとも一部の画像のそれぞれについて、当該画像の特徴を示すキーワードを格納しており、
前記楽曲格納部は、前記複数の楽曲のそれぞれを、当該楽曲の特徴を示すキーワードに対応付けて格納しており、
前記楽曲選択部は、前記一の画像におけるキーワード、及び前記複数の楽曲のそれぞれにおけるキーワードの関連度に基づいて、前記複数の楽曲から前記楽曲を選択する
請求項１に記載の電子アルバム表示システム。
【請求項７】
前記楽曲再生部は、前記遠隔操作部が前記一の画像を再生させるべく前記再生部を遠隔操作したタイミングに同期して、当該一の画像に対応する前記楽曲の再生を開始する請求項１に記載の電子アルバム表示システム。
【請求項８】
前記リモートコントローラは、
前記楽曲再生部が楽曲を再生することにより出力する音声信号を、音声として出力する音声出力部
を更に有する
請求項１に記載の電子アルバム表示システム。
【請求項９】
前記リモートコントローラは、
前記楽曲再生部が楽曲を再生することにより出力する音声信号を、無線通信によって送信する音声信号送信部
を更に有し、
当該電子アルバム表示システムは、
前記音声信号送信部により送信された前記音声信号を受信し、受信した前記音声信号を音声として出力する音声出力部
を更に備える
請求項１に記載の電子アルバム表示システム。
【請求項１０】
複数の画像を含む電子アルバムを表示する電子アルバム表示方法であって、
ビデオストリーム格納部は、前記複数の画像をフレーム画像として含むビデオストリームを格納しており、
当該電子アルバム表示方法は、
再生部が前記ビデオストリームを再生する再生段階と、
リモートコントローラが無線通信によって前記再生部を遠隔操作するリモートコントロール段階と、
前記再生段階において再生される前記ビデオストリームを表示する表示段階と
を備え、
前記リモートコントローラは、
前記複数の画像のうち、少なくとも一部の画像を再生するスケジュール、及び当該少なくとも一部の画像のそれぞれについて、当該画像に固有の情報である画像情報を格納しているスケジュール格納部と、
複数の楽曲のそれぞれを、当該楽曲に固有の情報である楽曲情報に対応付けて格納している楽曲格納部と
を有し、
前記リモートコントロール段階は、
前記少なくとも一部の画像のそれぞれを前記スケジュールに従って再生させるべく、前記再生部を遠隔操作する遠隔操作段階と、
前記再生部により再生されている一の前記画像における前記画像情報、及び前記複数の楽曲のそれぞれにおける前記楽曲情報の関連度に基づいて、前記一の画像に対応する前記楽曲を、前記複数の楽曲から選択する楽曲選択段階と、
前記一の画像を含む、連続して再生される複数の前記画像が、前記再生部により再生されている場合に、当該一の画像に対応する前記楽曲を再生する楽曲再生段階と
を有する電子アルバム表示方法。
【請求項１１】
ビデオストリームを再生する再生部を、無線通信によって遠隔操作するリモートコントローラであって、
前記ビデオストリームは複数の画像をフレーム画像として含み、
当該リモートコントローラは、
前記複数の画像のうち、少なくとも一部の画像を再生するスケジュール、及び当該少なくとも一部の画像のそれぞれについて、当該画像に固有の情報である画像情報を格納しているスケジュール格納部と、
複数の楽曲のそれぞれを、当該楽曲に固有の情報である楽曲情報に対応付けて格納している楽曲格納部と、
前記少なくとも一部の画像のそれぞれを前記スケジュールに従って再生させるべく、前記再生部を遠隔操作する遠隔操作部と、
前記再生部により再生されている一の前記画像における前記画像情報、及び前記複数の楽曲のそれぞれにおける前記楽曲情報の関連度に基づいて、前記一の画像に対応する前記楽曲を、前記複数の楽曲から選択する楽曲選択部と、
前記一の画像を含む、連続して再生される複数の前記画像が、前記再生部により再生されている場合に、当該一の画像に対応する前記楽曲を再生する楽曲再生部と
を備えるリモートコントローラ。
【請求項１２】
ビデオストリームを再生する再生部を無線通信によって遠隔操作するリモートコントローラを機能させるリモートコントロールプログラムであって、
前記ビデオストリームは複数の画像をフレーム画像として含み、
当該リモートコントロールプログラムは、
前記リモートコントローラを、
前記複数の画像のうち、少なくとも一部の画像を再生するスケジュール、及び当該少なくとも一部の画像のそれぞれについて、当該画像に固有の情報である画像情報を格納しているスケジュール格納部と、
複数の楽曲のそれぞれを、当該楽曲に固有の情報である楽曲情報に対応付けて格納している楽曲格納部と、
前記少なくとも一部の画像のそれぞれを前記スケジュールに従って再生させるべく、前記再生部を遠隔操作する遠隔操作部と、
前記再生部により再生されている一の前記画像における前記画像情報、及び前記複数の楽曲のそれぞれにおける前記楽曲情報の関連度に基づいて、前記一の画像に対応する前記楽曲を、前記複数の楽曲から選択する楽曲選択部と、
前記一の画像を含む、連続して再生される複数の前記画像が、前記再生部により再生されている場合に、当該一の画像に対応する前記楽曲を再生する楽曲再生部と
を備えるリモートコントローラとして機能させるリモートコントロールプログラム。
【発明の詳細な説明】
【技術分野】
【０００１】
本発明は、電子アルバム表示システム、電子アルバム表示方法、リモートコントローラ、及びリモートコントロールプログラムに関する。特に本発明は、複数の画像を含む電子アルバムを表示する電子アルバム表示システム、及び電子アルバム表示方法、並びに当該電子アルバム表示システムにおいて用いられるリモートコントローラ、及びリモートコントロールプログラムに関する。
【背景技術】
【０００２】
近年、デジタルカメラが急速に普及しており、デジタルカメラの利用者は、プリントされていないデジタル画像データを数多く所有している。また、近年、ネガフィルムやプリント済みの写真をデジタイズし、デジタル画像データを作成するサービスが行われている。しかし、利用者がこれらのデジタル画像データを参照するためには、パーソナルコンピュータ等の情報機器を利用する必要があり、手軽さに欠けていた。
【０００３】
そこで、デジタル画像データをＭＰＥＧ２フォーマット等のビデオストリームとして加工して、ＤＶＤ−Ｖｉｄｅｏディスク等を作成することにより、利用者が、ＤＶＤプレイヤー等を用いて、当該デジタル画像データをスライドショー形式で参照することができる技術が公開されている（例えば、特許文献１参照。）。
【０００４】
【特許文献１】特開２００３−２５９３０３
【発明の開示】
【発明が解決しようとする課題】
【０００５】
しかしながら、特許文献１に記載の技術によれば、既に作成されたＤＶＤ−Ｖｉｄｅｏディスクに対して、スライドショーとして表示される画像の構成及び順序を変更することはできず、異なる構成及び順序で画像を表示する場合には、元のデジタル画像データから他のＤＶＤ−Ｖｉｄｅｏディスクを作成する必要があった。このため、利用者が、作成されたＤＶＤ−Ｖｉｄｅｏディスクを用いたスライドショーの内容に満足していない場合であっても、その内容を手軽に修正することができないという問題があった。
【０００６】
また、特許文献１に記載の技術において、スライドショーのＢＧＭ（Ｂａｃｋｇｒｏｕｎｄ  Ｍｕｓｉｃ）をＤＶＤ−Ｖｉｄｅｏディスクのオーディオストリームとして格納している場合、利用者が、そのＢＧＭを、表示される画像により適したＢＧＭに変更したいと所望しても、手軽に変更することができないという問題があった。
【０００７】
そこで本発明は、上記の課題を解決することができ電子アルバム表示システム、電子アルバム表示方法、リモートコントローラ、及びリモートコントロールプログラムを提供することを目的とする。この目的は特許請求の範囲における独立項に記載の特徴の組み合わせにより達成される。また従属項は本発明の更なる有利な具体例を規定する。
【課題を解決するための手段】
【０００８】
上記課題を解決するために、本発明の第１の形態においては、複数の画像を含む電子アルバムを表示する電子アルバム表示システムであって、複数の画像をフレーム画像として含むビデオストリームを格納しているビデオストリーム格納部と、ビデオストリームを再生する再生部と、無線通信によって再生部を遠隔操作するリモートコントローラと、再生部により再生されるビデオストリームを表示する表示部とを備え、リモートコントローラは、複数の画像のうち、少なくとも一部の画像を再生するスケジュール、及び当該少なくとも一部の画像のそれぞれについて、当該画像に固有の情報である画像情報を格納しているスケジュール格納部と、複数の楽曲のそれぞれを、当該楽曲に固有の情報である楽曲情報に対応付けて格納している楽曲格納部と、少なくとも一部の画像のそれぞれをスケジュールに従って再生させるべく、再生部を遠隔操作する遠隔操作部と、再生部により再生されている一の画像における画像情報、及び複数の楽曲のそれぞれにおける楽曲情報の関連度に基づいて、一の画像に対応する楽曲を、複数の楽曲から選択する楽曲選択部と、一の画像を含む、連続して再生される複数の画像が、再生部により再生されている場合に、当該一の画像に対応する楽曲を再生する楽曲再生部とを有する。
【０００９】
スケジュール格納部は、スケジュール、及び少なくとも一部の画像のそれぞれについて、当該画像の撮像日時を示す撮像日時情報を格納しており、楽曲格納部は、複数の楽曲のそれぞれを、当該楽曲について予め定められた期間を示す期間情報に対応付けて格納しており、楽曲選択部は、一の画像における撮像日時が含まれる期間を示す期間情報に対応する楽曲を、複数の楽曲から選択してもよい。楽曲選択部は、一の画像に対応する楽曲を選択する場合に、一の画像における撮像日時、及び表示部によって一の画像の直前に表示される他の画像における撮像日時の差が、予め定められた基準値より小さい場合、他の画像に対応するとして選択した楽曲を選択し、楽曲再生部は、他の画像に対応するとして選択された楽曲が、一の画像に対応するとして選択された場合、再生部による一の画像の再生時に、当該選択された楽曲を引き続き再生してもよい。
【００１０】
スケジュール格納部は、スケジュール、及び少なくとも一部の画像のそれぞれについて、当該画像の撮像地点を示す撮像地点情報を格納しており、楽曲格納部は、複数の楽曲のそれぞれを、当該楽曲に関連する地域を示す地域情報に対応付けて格納しており、楽曲選択部は、一の画像における撮像地点が含まれる地域、及び複数の楽曲のそれぞれにおける地域情報の関連度に基づいて、複数の楽曲から楽曲を選択してもよい。スケジュール格納部は、スケジュール、及び少なくとも一部の画像のそれぞれについて、当該画像の内容を示す画像内容情報を格納しており、楽曲格納部は、複数の楽曲のそれぞれを、当該楽曲の内容を示す楽曲内容情報に対応付けて格納しており、楽曲選択部は、一の画像における画像内容情報、及び複数の楽曲のそれぞれにおける楽曲内容情報の関連度に基づいて、複数の楽曲から楽曲を選択してもよい。スケジュール格納部は、スケジュール、及び少なくとも一部の画像のそれぞれについて、当該画像の特徴を示すキーワードを格納しており、楽曲格納部は、複数の楽曲のそれぞれを、当該楽曲の特徴を示すキーワードに対応付けて格納しており、楽曲選択部は、一の画像におけるキーワード、及び複数の楽曲のそれぞれにおけるキーワードの関連度に基づいて、複数の楽曲から楽曲を選択してもよい。
【００１１】
楽曲再生部は、遠隔操作部が一の画像を再生させるべく再生部を遠隔操作したタイミングに同期して、当該一の画像に対応する楽曲の再生を開始してもよい。リモートコントローラは、楽曲再生部が楽曲を再生することにより出力する音声信号を、音声として出力する音声出力部を更に有してもよい。リモートコントローラは、楽曲再生部が楽曲を再生することにより出力する音声信号を、無線通信によって送信する音声信号送信部を更に有し、当該電子アルバム表示システムは、音声信号送信部により送信された音声信号を受信し、受信した音声信号を音声として出力する音声出力部を更に備えてもよい。
【００１２】
また、本発明の第２の形態においては、複数の画像を含む電子アルバムを表示する電子アルバム表示方法であって、ビデオストリーム格納部は、複数の画像をフレーム画像として含むビデオストリームを格納しており、当該電子アルバム表示方法は、再生部がビデオストリームを再生する再生段階と、リモートコントローラが無線通信によって再生部を遠隔操作するリモートコントロール段階と、再生段階において再生されるビデオストリームを表示する表示段階とを備え、リモートコントローラは、複数の画像のうち、少なくとも一部の画像を再生するスケジュール、及び当該少なくとも一部の画像のそれぞれについて、当該画像に固有の情報である画像情報を格納しているスケジュール格納部と、複数の楽曲のそれぞれを、当該楽曲に固有の情報である楽曲情報に対応付けて格納している楽曲格納部とを有し、リモートコントロール段階は、少なくとも一部の画像のそれぞれをスケジュールに従って再生させるべく、再生部を遠隔操作する遠隔操作段階と、再生部により再生されている一の画像における画像情報、及び複数の楽曲のそれぞれにおける楽曲情報の関連度に基づいて、一の画像に対応する楽曲を、複数の楽曲から選択する楽曲選択段階と、一の画像を含む、連続して再生される複数の画像が、再生部により再生されている場合に、当該一の画像に対応する楽曲を再生する楽曲再生段階とを有する。
【００１３】
また、本発明の第３の形態においては、ビデオストリームを再生する再生部を、無線通信によって遠隔操作するリモートコントローラであって、ビデオストリームは複数の画像をフレーム画像として含み、当該リモートコントローラは、複数の画像のうち、少なくとも一部の画像を再生するスケジュール、及び当該少なくとも一部の画像のそれぞれについて、当該画像に固有の情報である画像情報を格納しているスケジュール格納部と、複数の楽曲のそれぞれを、当該楽曲に固有の情報である楽曲情報に対応付けて格納している楽曲格納部と、少なくとも一部の画像のそれぞれをスケジュールに従って再生させるべく、再生部を遠隔操作する遠隔操作部と、再生部により再生されている一の画像における画像情報、及び複数の楽曲のそれぞれにおける楽曲情報の関連度に基づいて、一の画像に対応する楽曲を、複数の楽曲から選択する楽曲選択部と、一の画像を含む、連続して再生される複数の画像が、再生部により再生されている場合に、当該一の画像に対応する楽曲を再生する楽曲再生部とを備える。
【００１４】
また、本発明の第４の形態においては、ビデオストリームを再生する再生部を無線通信によって遠隔操作するリモートコントローラを機能させるリモートコントロールプログラムであって、ビデオストリームは複数の画像をフレーム画像として含み、当該リモートコントロールプログラムは、リモートコントローラを、複数の画像のうち、少なくとも一部の画像を再生するスケジュール、及び当該少なくとも一部の画像のそれぞれについて、当該画像に固有の情報である画像情報を格納しているスケジュール格納部と、複数の楽曲のそれぞれを、当該楽曲に固有の情報である楽曲情報に対応付けて格納している楽曲格納部と、少なくとも一部の画像のそれぞれをスケジュールに従って再生させるべく、再生部を遠隔操作する遠隔操作部と、再生部により再生されている一の画像における画像情報、及び複数の楽曲のそれぞれにおける楽曲情報の関連度に基づいて、一の画像に対応する楽曲を、複数の楽曲から選択する楽曲選択部と、一の画像を含む、連続して再生される複数の画像が、再生部により再生されている場合に、当該一の画像に対応する楽曲を再生する楽曲再生部とを備えるリモートコントローラとして機能させる。
【００１５】
なお、上記の発明の概要は、本発明の必要な特徴の全てを列挙したものではなく、これらの特徴群のサブコンビネーションもまた、発明となりうる。
【発明の効果】
【００１６】
本発明によれば、電子アルバムに含まれる画像を、既に作成されたビデオストリームにおける構成及び順序とは異なる構成及び順序で、スライドショーとして表示することができると共に、表示される画像に適した楽曲をＢＧＭとして再生することができる。
【発明を実施するための最良の形態】
【００１７】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１８】
図１は、本発明の実施形態に係る電子アルバム表示システム１０の構成の一例を示すブロック図である。電子アルバム表示システム１０は、複数の画像を含む電子アルバムを、当該複数の画像が順次切り替わるスライドショーとして表示する。電子アルバム表示システム１０は、ＤＶＤ−Ｖｉｄｅｏディスク１００、ＤＶＤ−Ｖｉｄｅｏ再生装置１１０、スケジュール生成装置１２０、リモートコントローラ１３０、及び表示部１４０を備える。また、リモートコントローラ１３０は、メモリカード２００、遠隔操作部２１０、楽曲選択部２２０、楽曲再生部２３０、及び音声出力部２４０を有する。
【００１９】
ＤＶＤ−Ｖｉｄｅｏディスク１００は、本発明におけるビデオストリーム格納部の一例であり、電子アルバムに含まれる複数の画像をフレーム画像として含むビデオストリームを格納している。具体的には、当該ビデオストリームは、ＭＰＥＧ２フォーマットのビデオストリームであり、電子アルバムに含まれる複数の画像のそれぞれを、例えば３秒等の予め定められた時間だけ連続するフレーム画像として含む。例えば、当該ビデオストリームは、電子アルバムに含まれる複数の画像のそれぞれを、ＭＰＥＧ２フォーマットにおける、他のフレーム画像を用いることなく再生可能なフレーム画像であるＩピクチャとして含むと共に、当該Ｉピクチャに予め定められた時間だけ続くフレーム画像として、差分が０であるＢピクチャまたはＰピクチャを含んでいてよい。
【００２０】
また、当該ビデオストリームは、電子アルバムに含まれる複数の画像を示すフレーム画像に加えて、それぞれの画像が切り替わる位置に、例えばワイプ等のトランジション効果を示すフレーム画像を含んでいてもよく、また、それぞれの画像もしくは連続する一連の画像に先だって、当該画像のタイトル等を示すフレーム画像を含んでいてもよい。また、当該ビデオストリームは、電子アルバムに含まれる複数の画像のそれぞれに対するアクセスを容易にするべく、当該画像を示す１以上の連続するフレーム画像を、ＤＶＤ−Ｖｉｄｅｏ規格におけるＰＴＴ（Ｐａｒｔ  ｏｆ  Ｔｉｔｌｅ）、即ちチャプターとして定義してよい。
【００２１】
ＤＶＤ−Ｖｉｄｅｏディスク１００は、ＤＶＤ−ＲＯＭやＤＶＤ−Ｒ等の書き換え不可能な記録媒体、及びＤＶＤ−ＲＷ等の書き換え可能な記録媒体の何れであってもよいが、記録されたビデオストリームを利用者が誤って消去してしまう危険性が低いので、書き換え不可能な記録媒体であることが好ましい。ＤＶＤ−Ｖｉｄｅｏディスク１００は、例えば、利用者からの依頼を受けたラボ等のサービスプロバイダによって、利用者により提出されたネガフィルム、プリント済みの写真、及びデジタルカメラの記録媒体等を用いて作成されてよい。そして、利用者は、作成されたＤＶＤ−Ｖｉｄｅｏディスク１００をＤＶＤプレイヤー等で再生することにより、電子アルバムに含まれる複数の画像が、ＤＶＤ−Ｖｉｄｅｏディスク１００の作成時に予め定められたスケジュールで切り替わって表示されるスライドショーとして楽しむことができる。
【００２２】
ここで、スケジュールとは、スライドショーとして再生及び表示される画像の構成、画像が再生及び表示される順序、及びそれぞれの画像が再生及び表示される時間等を示す情報を含んでいる。つまり、予め定められたスケジュールとは、電子アルバムに含まれる複数の画像が、ＤＶＤ−Ｖｉｄｅｏディスク１００に格納されたビデオストリームにフレーム画像として含まれる順序で、それぞれの画像を示すフレーム画像が連続する時間だけ、順次表示されるスケジュールを示す。
【００２３】
本発明の実施形態に係る電子アルバム表示システム１０は、電子アルバムに含まれる画像が予め定められたスケジュールで表示されるべく作成されたビデオストリームを格納しているＤＶＤ−Ｖｉｄｅｏディスク１００を用いる場合であっても、電子アルバムに含まれる画像を、当該ビデオストリームにおける予め定められたスケジュールとは異なるスケジュールでスライドショーとして表示することを目的とする。
また、本発明の実施形態に係る電子アルバム表示システム１０は、ビデオストリームにおける予め定められたスケジュールとは異なるスケジュールでスライドショーを表示する場合に、表示する画像に適した楽曲をＢＧＭとして再生することを更なる目的とする。
【００２４】
ＤＶＤ−Ｖｉｄｅｏ再生装置１１０は、例えばＤＶＤプレイヤーであり、ＤＶＤ−Ｖｉｄｅｏディスク１００に格納されているビデオストリームを再生し、当該ビデオストリームを示す映像信号を表示部１４０に出力する。また、ＤＶＤ−Ｖｉｄｅｏ再生装置１１０は、赤外線受光器等の無線通信手段を有し、リモートコントローラ１３０と無線通信を行う。なお、ＤＶＤ−Ｖｉｄｅｏ再生装置１１０は、本発明における再生部の一例である。
【００２５】
スケジュール生成装置１２０は、例えばパーソナルコンピュータであり、利用者の指示に従い、ＤＶＤ−Ｖｉｄｅｏディスク１００に格納されている情報に基づいてスライドショーのスケジュールを生成する。また、スケジュール生成装置１２０は、スライドショーにおいて再生される楽曲を、例えば、ＤＶＤ−Ｖｉｄｅｏディスク１００やネットワークを経由して接続したサーバーホスト等から取得する。そして、スケジュール生成装置１２０は、生成したスケジュール、及び取得した楽曲をメモリカード２００に記録する。
【００２６】
リモートコントローラ１３０は、例えば赤外線通信等の無線通信によってＤＶＤ−Ｖｉｄｅｏ再生装置１１０を遠隔操作する。メモリカード２００は、リモートコントローラ１３０に対して交換可能に設けられる書き換え可能な記録媒体であり、スケジュール格納部２０２、及び楽曲格納部２０４を含む。メモリカード２００は、例えば、フラッシュメモリ等の不揮発性メモリを有し、リモートコントローラ１３０に設けられたスロットに挿入されることにより、リモートコントローラ１３０に対して交換可能に設けられてよい。スケジュール格納部２０２は、ＤＶＤ−Ｖｉｄｅｏディスク１００に格納されているビデオストリームに含まれる複数の画像のうち、スライドショーとして表示される少なくとも一部の画像を再生するスケジュールと、当該少なくとも一部の画像のそれぞれについて、当該画像に固有の情報である画像情報とを格納している。ここで、画像情報とは、例えば画像の撮像日時や撮像地点等を示す情報であってよい。楽曲格納部２０４は、スライドショーにおいて再生される複数の楽曲のそれぞれを、当該楽曲に固有の情報である楽曲情報に対応付けて格納している。ここで、楽曲情報とは、例えば、楽曲の内容に適した季節を示す期間等を示す情報であってよい。
【００２７】
遠隔操作部２１０は、電子アルバムに含まれる複数の画像のうち、少なくとも一部の画像のそれぞれを、スケジュール格納部２０２が格納しているスケジュールに従って再生させるべく、ＤＶＤ−Ｖｉｄｅｏ再生装置１１０を赤外線通信等の無線通信によって遠隔操作する。例えば、遠隔操作部２１０は、赤外線ＬＥＤ等を用いて、ＤＶＤ−Ｖｉｄｅｏ再生装置１１０に赤外線信号を送信することにより、ＤＶＤ−Ｖｉｄｅｏ再生装置１１０を遠隔操作する。ここで、遠隔操作部２１０が行うＤＶＤ−Ｖｉｄｅｏ再生装置１１０の操作とは、例えば、再生の開始、再生の停止、再生の一時停止、次のチャプターへの再生位置の変更、前のチャプターへの再生位置の変更、及び任意のチャプターへの再生位置の変更等である。
【００２８】
一般に、ＤＶＤ−Ｖｉｄｅｏ再生装置１１０が赤外線通信により遠隔操作される場合の通信内容は、ＤＶＤ−Ｖｉｄｅｏ再生装置１１０の機種毎に異なる。そこで、遠隔操作部２１０が、特定の機種のＤＶＤ−Ｖｉｄｅｏ再生装置１１０のみに対応可能としてではなく、多様な機種のＤＶＤ−Ｖｉｄｅｏ再生装置１１０に対応可能として設けられる場合、遠隔操作部２１０は、例えば、ＤＶＤ−Ｖｉｄｅｏ再生装置１１０の機種毎、及び当該機種における操作種別毎の、赤外線信号の波形等により示される通信内容を予め格納しており、利用者により指定されたＤＶＤ−Ｖｉｄｅｏ再生装置１１０の機種に応じた波形の赤外線信号を送出することにより、多様な機種のＤＶＤ−Ｖｉｄｅｏ再生装置１１０を制御してよい。なお、遠隔操作部２１０は、赤外線通信に代えて、ブルートゥース等の他の無線通信によりＤＶＤ−Ｖｉｄｅｏ再生装置１１０を遠隔操作してもよい。また、遠隔操作部２１０は、遠隔操作することにより再生を指示した画像を示す情報を楽曲選択部２２０に出力する。
【００２９】
楽曲選択部２２０は、ＤＶＤ−Ｖｉｄｅｏ再生装置１１０により再生されている一の画像における画像情報と、楽曲格納部２０４に格納されている複数の楽曲のそれぞれにおける楽曲情報との関連度に基づいて、当該一の画像に対応する楽曲を、当該複数の楽曲から選択する。そして、楽曲選択部２２０は、選択した楽曲を楽曲再生部２３０に出力する。楽曲再生部２３０は、ＤＶＤ−Ｖｉｄｅｏ再生装置１１０により再生されている一の画像を含む、連続して再生される複数の画像が、ＤＶＤ−Ｖｉｄｅｏ再生装置１１０により再生されている場合に、楽曲選択部２２０により選択された当該一の画像に対応する楽曲を再生する。そして、楽曲再生部２３０は、再生している楽曲を示す音声信号を、音声出力部２４０に出力する。音声出力部２４０は、例えばリモートコントローラ１３０に設けられたスピーカであり、楽曲再生部２３０が楽曲を再生することにより出力した音声信号を、音声として出力する。表示部１４０は、例えば外部映像入力端子を備えるテレビ受像機であり、ＤＶＤ−Ｖｉｄｅｏ再生装置１１０により再生されるビデオストリームを示す映像信号を受け取って表示する。
【００３０】
本発明の実施形態に係る電子アルバム表示システム１０によれば、ＤＶＤ−Ｖｉｄｅｏディスク１００に格納されているビデオストリームをＤＶＤ−Ｖｉｄｅｏ再生装置１１０により再生する際に、リモートコントローラ１３０がＤＶＤ−Ｖｉｄｅｏ再生装置１１０を遠隔操作することにより、当該ビデオストリームにおける予め定められたスケジュールとは異なるスケジュール、具体的にはスケジュール格納部２０２に格納されているスケジュールでスライドショーを表示することができる。従来の電子アルバム表示システムにおいては、利用者は、ＤＶＤ−Ｖｉｄｅｏディスク１００に格納されているビデオストリームにおけるスケジュールとは異なるスケジュールでスライドショーを表示させたい場合、ラボ等に当該スケジュールに基づく新たなＤＶＤ−Ｖｉｄｅｏディスクの作成を依頼したり、また、新たなＤＶＤ−Ｖｉｄｅｏディスクを自ら作成したりする必要があった。しかし、本発明の実施形態に係るリモートコントローラ１３０を用いることによって、ＤＶＤ−Ｖｉｄｅｏディスク１００と、ＤＶＤプレイヤーやテレビ受像機等の一般的な家庭用電気機器とを用いながらも、予め定められたスケジュールとは異なるスケジュールでスライドショーを表示することができるので、利用者の負担を軽減することができる。
【００３１】
また、本発明の実施形態に係る電子アルバム表示システム１０によれば、リモートコントローラ１３０として、赤外線通信機能等の無線通信機能を有する携帯電話端末を利用することもできる。こうすることにより、リモートコントローラ１３０を別途購入するといった負担を利用者に強いることなく、予め定められたスケジュールとは異なるスケジュールでスライドショーを表示することができる。
【００３２】
更に、本発明の実施形態に係る電子アルバム表示システム１０によれば、スライドショーを鑑賞する複数の利用者のそれぞれがリモートコントローラ１３０を有することができる。これにより、１枚のＤＶＤ−Ｖｉｄｅｏディスク１００の再生時に、それぞれの利用者が有するリモートコントローラ１３０に挿入されたメモリカード２００に格納されているスケジュールのそれぞれを順次切り替えつつ用いて、スライドショーを表示することができる。
【００３３】
また、従来の電子アルバム表示システムにおいては、ＤＶＤ−Ｖｉｄｅｏディスク１００にオーディオストリームとして格納されている音声が、スライドショーにおけるＢＧＭとして利用される場合がある。この場合、画像毎の表示時間が、通常、数秒程度であることから、複数の画像に渡って同一の楽曲がＢＧＭとして利用されることが多い。すると、本発明の実施形態に係る電子アルバム表示システム１０において、ＤＶＤ−Ｖｉｄｅｏ再生装置１１０におけるビデオストリームの再生位置を遠隔操作してスライドショーを表示する場合に、ＤＶＤ−Ｖｉｄｅｏディスク１００に格納されているオーディオストリームをＢＧＭとして利用すると、表示されている画像が切り替わる毎に、ＢＧＭが変化したり、また、楽曲の途中から再生されたりする場合があり、利用者に耳障りだと感じさせてしまう。しかし、本発明の実施形態に係る電子アルバム表示システム１０によれば、ＤＶＤ−Ｖｉｄｅｏディスク１００に格納されているオーディオストリームに代えて、リモートコントローラ１３０が有する楽曲格納部２０４に格納されている楽曲をＢＧＭとして利用することができる。これにより、ビデオストリームのスケジュールとは異なるスケジュールでスライドショーを表示する場合であっても、複数の画像に渡って同一の楽曲をＢＧＭとして再生したり、また、表示されている画像が切り替わるタイミングで楽曲を切り替えたりすることができるので、利用者にとって聴き心地のよいＢＧＭを提供することができる。
【００３４】
また、表示されている画像の画像情報に対して関連度の高い楽曲情報を有する楽曲をＢＧＭとして選択することができるので、画像と楽曲との一体感を利用者に強く感じさせることのできる、品質の高いスライドショーを提供することができる。更に、これにより、利用者が、ＢＧＭとなる楽曲を画像毎に指定する必要がなくなるので、利用者の負担を軽減することができる。また、ＤＶＤ−Ｖｉｄｅｏディスク１００に格納されているオーディオストリームではなく、リモートコントローラ１３０が有するメモリカード２００に格納されている楽曲をＢＧＭとして再生することにより、利用者が、自分自身の好みに応じた楽曲をＢＧＭとして利用することができる。更に、ＢＧＭとして再生される楽曲の音声を、リモートコントローラ１３０が有する音声出力部２４０を用いて出力することにより、ＤＶＤ−Ｖｉｄｅｏ再生装置１１０や表示部１４０として、ＤＶＤプレイヤーやテレビ受像機等の一般的な家庭用電気機器を用いながらも、楽曲格納部２０４に格納されている楽曲をＢＧＭとして再生することができる。
【００３５】
なお、電子アルバム表示システム１０の構成は、本図に示した構成には限定されず、本図に示した構成に多様な変更を加えてもよい。例えば、ＤＶＤ−Ｖｉｄｅｏディスク１００に格納されているビデオストリームは、ＭＰＥＧ２フォーマットによるビデオストリームでなく、例えばＭＰＥＧフォーマットやＭＰＥＧ４フォーマット等の、他のフォーマットによるビデオストリームであってもよい。また、ＤＶＤ−Ｖｉｄｅｏディスク１００は、ＶｉｄｅｏＣＤディスク等の、他のフォーマットまたは他の規格に基づいた、光学記録媒体、磁気記録媒体、光磁気記録媒体、半導体記録媒体等の記録媒体であってもよい。この場合、ＤＶＤ−Ｖｉｄｅｏ再生装置１１０は、それらの記録媒体を用いてビデオストリームを再生することのできる再生装置であってよい。また、リモートコントローラ１３０は、メモリカード２００に代えて、他の交換可能な記録媒体を有してよく、また、交換可能な記録媒体に代えて、交換不可能な不揮発性メモリ等の記録媒体を有してもよい。ここで、リモートコントローラ１３０が交換不可能な記録媒体を有している場合、スケジュール生成装置１２０は、リモートコントローラ１３０と有線通信または無線通信を行うことにより、生成したスケジュールを当該記録媒体に格納していてよい。また、リモートコントローラ１３０は、有線通信または無線通信を行う通信手段を有し、ＤＶＤ−Ｖｉｄｅｏディスク１００の作成元等により作成されたスケジュールをインターネット等のネットワークを介して取得すると共に、取得したスケジュールに基づいてＤＶＤ−Ｖｉｄｅｏ再生装置１１０を制御することにより、当該スケジュールに基づいたスライドショーを表示させてもよい。
【００３６】
また、本例においては、リモートコントローラ１３０は、音声出力部２４０を含むとして説明したが、これに変えて、楽曲再生部２３０が楽曲を再生することにより出力した音声信号を、例えば赤外線通信等の無線通信によって送信する音声信号送信部を含んでいてもよい。この場合、電子アルバム表示システム１０は、当該音声信号送信部により送信された音声信号を受信すると共に、受信した音声信号を音声として出力する音声出力部を、リモートコントローラ１３０の外部に備えていてもよい。こうすることにより、リモートコントローラ１３０がスピーカ等の音声出力手段を有していない場合であっても、楽曲格納部２０４に格納されている楽曲を、スライドショーのＢＧＭとして再生することができる。
【００３７】
図２は、本発明の実施形態に係るスケジュール格納部２０２の第１の例を示す。また、図３は、本発明の実施形態に係る楽曲格納部２０４の第１の例を示す。スケジュール格納部２０２は、スライドショーのスケジュールとして、電子アルバムに含まれる複数の画像のうち、少なくとも一部の画像の再生順序、及び当該少なくとも一部の画像のそれぞれの、ビデオストリームにおける位置を示す情報を格納している。具体的には、スケジュール格納部２０２は、スライドショーのスケジュールとして、当該少なくとも一部の画像の再生順序、及び当該少なくとも一部の画像のそれぞれが含まれるチャプターを示す情報を格納している。より具体的には、スケジュール格納部２０２は、図２に示すように、電子アルバムに含まれる複数の画像のうち、スライドショーにおいて表示される少なくとも一部の画像について、それぞれの画像が含まれるチャプター、即ちＰＴＴを示す情報を、スライドショーとして表示される順に格納している。例えば、図２に示したスケジュールにおいては、スライドショーで最初に表示される画像は、３番目のチャプターにフレーム画像として含まれる。また、スケジュール格納部２０２は、スライドショーにおいて表示される画像のそれぞれの位置を示す情報として、当該画像が含まれるチャプターを示す情報に代えて、例えばビデオストリームの先頭等の予め定められた位置から当該画像までの再生時間を格納していてもよい。
【００３８】
更に、スケジュール格納部２０２は、スライドショーのスケジュールとして、スライドショーにおいて表示される画像のそれぞれについて、ＤＶＤ−Ｖｉｄｅｏ再生装置１１０が当該画像を再生させ続ける時間である再生持続時間、即ちスライドショーにおける当該画像の表示時間を格納している。例えば、図２に示したスケジュールにおいては、スライドショーで最初に表示される画像の再生持続時間は３秒である。
【００３９】
更に、スケジュール格納部２０２は、スライドショーにおいて表示される画像のそれぞれについて、画像情報の一例である、当該画像の撮像日時を示す撮像日時情報を格納している。ここで、撮像日時情報とは、例えば、デジタルカメラ等がそれぞれの画像を撮像した際に、当該デジタルカメラが備えるカレンダー機能及び時計機能により取得された情報であってよい。また、楽曲格納部２０４は、例えば図３に示すように、スライドショーにおいて再生される複数の楽曲のそれぞれを、楽曲情報の一例である、当該楽曲について予め定められた期間を示す期間情報に対応付けて格納している。ここで、期間情報により示される期間とは、例えば「冬の曲」といった、それぞれの楽曲の内容に合った季節等を示す期間であってよく、また、例えば「１９８０年に流行した曲」といった、それぞれの楽曲に関連する時代や年代等を示す期間であってもよい。
【００４０】
そして、楽曲選択部２２０は、ＤＶＤ−Ｖｉｄｅｏ再生装置１１０により再生されている画像における撮像日時が含まれる期間を示す期間情報に対応する楽曲を、楽曲格納部２０４に格納されている複数の楽曲から選択する。例えば、再生されている画像の撮像日時が、１２月１日から２月２８日の期間に含まれる場合、楽曲選択部２２０は、当該画像の再生中にＢＧＭとして再生される楽曲として、楽曲３００を選択する。
【００４１】
本発明の実施形態に係る電子アルバム表示システム１０によれば、再生されている画像の撮像日時が含まれる季節、及び正月やクリスマスといった年次の行事等に合った楽曲、並びに当該画像の撮像日時が含まれる年代に流行した楽曲等を、当該画像の再生中にＢＧＭとして再生することができる。これにより、スライドショーにおける、画像と楽曲との一体感を、利用者により強く感じさせることができる。
【００４２】
図４は、本発明の実施形態に係るスケジュール格納部２０２の第２の例を示す。また、図５は、本発明の実施形態に係る楽曲格納部２０４の第２の例を示す。スケジュール格納部２０２は、スライドショーのスケジュールとして、電子アルバムに含まれる複数の画像のうち、スライドショーにおいて表示される少なくとも一部の画像の再生順序、及び当該少なくとも一部の画像のそれぞれの、ビデオストリームにおける位置を示す情報を格納している。更に、スケジュール格納部２０２は、スライドショーのスケジュールとして、スライドショーにおいて表示される画像のそれぞれについて、ＤＶＤ−Ｖｉｄｅｏ再生装置１１０が当該画像を再生させ続ける時間である再生持続時間、即ちスライドショーにおける当該画像の表示時間を格納している。
【００４３】
更に、スケジュール格納部２０２は、スライドショーにおいて表示される画像のそれぞれについて、画像情報の一例である、当該画像の撮像地点を示す撮像地点情報を格納している。ここで、撮像地点情報とは、例えば、デジタルカメラ等がそれぞれの画像を撮像した際に、当該デジタルカメラが備えるＧＰＳ（Ｇｌｏｂａｌ  Ｐｏｓｉｔｉｏｎｉｎｇ  Ｓｙｓｔｅｍ）機能により取得された、撮像地点の緯度及び経度を示す情報であってよい。また、楽曲格納部２０４は、例えば図５に示すように、スライドショーにおいて再生される複数の楽曲のそれぞれを、楽曲情報の一例である、当該楽曲に関連する地域を示す地域情報に対応付けて格納している。ここで、地域情報とは、例えば「山の曲」や「海の曲」といった、それぞれの楽曲の内容、例えば歌詞の内容等により示される地域の種類を示す情報であってよく、また、例えば「東京の曲」といった、それぞれの楽曲の内容、例えば歌詞の内容等により示される地名を示す情報であってもよい。
【００４４】
そして、楽曲選択部２２０は、ＤＶＤ−Ｖｉｄｅｏ再生装置１１０により再生されている画像における撮像地点が含まれる地域と、楽曲格納部２０４に格納されている複数の楽曲のそれぞれにおける地域情報との関連度に基づいて、当該複数の楽曲から、当該画像の再生中にＢＧＭとして再生される楽曲を選択する。例えば、楽曲選択部２２０は、地図情報を有しており、再生されている画像の撮像地点が含まれる地域の種類を、当該地図情報に基づいて、例えば海岸部であると検出することにより、複数の楽曲のうち、検出結果に対する関連度が他の楽曲に比べて高い、例えば「海」という地域情報が対応付けられている楽曲５１０を選択してよい。
【００４５】
本発明の実施形態に係る電子アルバム表示システム１０によれば、再生されている画像の撮像地点が含まれる地域の種類または地名等に対して関連度の高い楽曲を、当該画像の再生中にＢＧＭとして再生することができる。これにより、スライドショーにおける、画像と楽曲との一体感を、利用者により強く感じさせることができる。
【００４６】
図６は、本発明の実施形態に係るスケジュール格納部２０２の第３の例を示す。また、図７は、本発明の実施形態に係る楽曲格納部２０４の第３の例を示す。スケジュール格納部２０２は、スライドショーのスケジュールとして、電子アルバムに含まれる複数の画像のうち、スライドショーにおいて表示される少なくとも一部の画像の再生順序、及び当該少なくとも一部の画像のそれぞれの、ビデオストリームにおける位置を示す情報を格納している。更に、スケジュール格納部２０２は、スライドショーのスケジュールとして、スライドショーにおいて表示される画像のそれぞれについて、ＤＶＤ−Ｖｉｄｅｏ再生装置１１０が当該画像を再生させ続ける時間である再生持続時間、即ちスライドショーにおける当該画像の表示時間を格納している。
【００４７】
更に、スケジュール格納部２０２は、スライドショーにおいて表示される画像のそれぞれについて、画像情報の一例である、当該画像の内容を示す画像内容情報を格納している。ここで、画像内容情報とは、例えば、画像に含まれる被写体の種類等を示す情報であってよい。具体的には、スケジュール格納部２０２は、公知の画像認識技術を用いることにより、それぞれの画像について予め抽出された被写体の種類、例えば「海」や「ウェディングドレス」等を示す情報を、当該画像に対応付けて格納していてよい。また、楽曲格納部２０４は、スライドショーにおいて再生される複数の楽曲のそれぞれを、楽曲情報の一例である、当該楽曲の内容を示す楽曲内容情報に対応付けて格納している。ここで、楽曲内容情報とは、例えば、楽曲の歌詞における主題や、当該楽曲が多く用いられる場面等を示す情報であってよい。例えば、楽曲格納部２０４は、それぞれの楽曲が、海を主題とした楽曲である場合には「海」という楽曲内容情報を、また、結婚式においてよく演奏される楽曲である場合には「結婚式」という楽曲内容情報を、当該楽曲に対応付けて格納していてよい。
【００４８】
そして、楽曲選択部２２０は、ＤＶＤ−Ｖｉｄｅｏ再生装置１１０により再生されている画像における画像内容情報と、楽曲格納部２０４に格納されている複数の楽曲のそれぞれにおける楽曲内容情報との関連度に基づいて、当該複数の楽曲から、当該画像の再生中にＢＧＭとして再生される楽曲を選択する。例えば、楽曲選択部２２０は、再生されている画像における画像内容情報として「ウェディングドレス」を検出した場合、複数の楽曲のうち、検出した画像内容情報に対する関連度が他の楽曲に比べて高い、「結婚式」という楽曲内容情報に対応する楽曲７１０を、当該画像の再生中にＢＧＭとして再生される楽曲として選択する。
【００４９】
本発明の実施形態に係る電子アルバム表示システム１０によれば、再生されている画像の内容に対して関連度の高い内容を示す楽曲を、当該画像の再生中にＢＧＭとして再生することができる。これにより、スライドショーにおける、画像と楽曲との一体感を、利用者により強く感じさせることができる。
【００５０】
なお、スケジュール格納部２０２及び楽曲格納部２０４は、図２から図７にかけて例に挙げて説明した画像情報及び楽曲情報の他に、多様な画像情報及び楽曲情報を格納していてよい。例えば、スケジュール格納部２０２は、電子アルバムに含まれる複数の画像のうち、スライドショーにおいて表示される少なくとも一部の画像のそれぞれについて、当該画像の特徴を示すキーワードを格納していてよい。また、例えば、楽曲格納部２０４は、スライドショーにおいて再生される複数の楽曲のそれぞれを、当該楽曲の特徴を示すキーワードに対応付けて格納していてよい。ここで、キーワードとは、例えば、それぞれの画像または楽曲に対して、利用者によって予め対応付けられたキーワードであってよい。これらの場合、楽曲選択部２２０は、ＤＶＤ−Ｖｉｄｅｏ再生装置１１０により再生されている画像に対応するキーワードと、楽曲格納部２０４に格納されている複数の楽曲のそれぞれに対応するキーワードとの関連度に基づいて、当該複数の楽曲から、当該画像の再生中にＢＧＭとして再生される楽曲を再生選択する。具体的には、楽曲選択部２２０は、再生されている画像に対応するキーワードと、一の楽曲に対応するキーワードとが、一致している場合、または他の楽曲に対応するキーワードに比べて関連度が高い場合に、当該一の楽曲を、当該画像の再生中にＢＧＭとして再生される楽曲として選択する。これにより、再生されている画像に対応付けられたキーワードに対して関連度の高いキーワードを有する楽曲を、ＢＧＭとして再生することができるので、表示する画像と再生する楽曲との一体感を、利用者により強く感じさせることができる。
【００５１】
また、図２から図７にかけて説明したスケジュール格納部２０２のそれぞれは、単一の画像情報のみを画像に対応付けて格納しているが、これに代えて、スケジュール格納部２０２は、複数の画像情報を１つの画像に対応付けて格納していてもよい。また、同様に、楽曲格納部２０４は、複数の楽曲情報を１つの楽曲に対応付けて格納していてもよい。
【００５２】
図８は、本発明の実施形態に係る電子アルバム表示システム１０における処理の流れの一例を示すフローチャートである。本例において、ＤＶＤ−Ｖｉｄｅｏディスク１００は、既にＤＶＤ−Ｖｉｄｅｏ再生装置１１０に挿入されているとする。また、遠隔操作部２１０は、例えば、再生の開始を示す赤外線信号をＤＶＤ−Ｖｉｄｅｏ再生装置１１０に送信することにより、ＤＶＤ−Ｖｉｄｅｏ再生装置１１０にビデオストリームの再生を開始させているとする。以下、電子アルバム表示システム１０が、ＤＶＤ−Ｖｉｄｅｏディスク１００に格納されているビデオストリームにより定められたスケジュールとは異なるスケジュールに従ってスライドショーを表示する処理の流れを説明する。
【００５３】
電子アルバム表示システム１０は、以下の処理を、スケジュール格納部２０２に格納されたスケジュールにより示される、電子アルバムに含まれる複数の画像のうち少なくとも一部の画像における再生順序に従って、当該少なくとも一部の画像のそれぞれについて繰り返す（Ｓ１０００）。
【００５４】
まず、遠隔操作部２１０は、ＤＶＤ−Ｖｉｄｅｏ再生装置１１０におけるビデオストリームの再生位置を、スケジュール格納部２０２に格納されているスケジュールが示す当該画像の位置に変更させるべく、ＤＶＤ−Ｖｉｄｅｏ再生装置１１０を遠隔操作する（Ｓ１０１０）。具体的には、遠隔操作部２１０は、ビデオストリームの再生位置を、スケジュール格納部２０２に格納されているスケジュールが示す、当該画像が含まれるチャプターの先頭位置に変更させるべく、ＤＶＤ−Ｖｉｄｅｏ再生装置１１０を遠隔操作する。例えば、遠隔操作部２１０は、当該チャプターの先頭位置へ再生位置を変更する旨を示す赤外線信号をＤＶＤ−Ｖｉｄｅｏ再生装置１１０に送信することにより、ビデオストリームの再生位置を所望のチャプターに変更させる。このようにして、遠隔操作部２１０は、ＤＶＤ−Ｖｉｄｅｏ再生装置１１０に当該画像を再生させると共に、表示部１４０に当該画像を表示させる。また、ＤＶＤ−Ｖｉｄｅｏ再生装置１１０は、遠隔操作部２１０から遠隔操作されない場合には、通常通りにビデオストリームの再生を続行してよい。これにより、電子アルバム表示システム１０は、例えば、遠隔操作部２１０からの無線通信信号が、一時的にＤＶＤ−Ｖｉｄｅｏ再生装置１１０に届かない場合であっても、スライドショーの表示を中断することなく続行することができる。また、これにより、電子アルバム表示システム１０は、スケジュール格納部２０２に格納されているスケジュールにおいて、前後して表示するべく示されている２つの画像のそれぞれが含まれるチャプターが、同様に前後して存在している場合に、遠隔操作部２１０がＤＶＤ−Ｖｉｄｅｏ再生装置１１０を遠隔操作しなくとも、スケジュールに従って画像を表示させることができる。なお、遠隔操作部２１０は、ビデオストリームの再生位置を、当該画像が含まれるチャプターの先頭位置に変更するのに代えて、チャプター内の他の位置に変更してもよい。
【００５５】
続いて、楽曲選択部２２０は、当該画像における画像情報と、楽曲格納部２０４に格納されている複数の楽曲のそれぞれにおける楽曲情報との関連度に基づいて、当該画像に対応する楽曲を、当該複数の楽曲から選択する（Ｓ１０２０）。ここで、楽曲選択部２２０は、当該画像における撮像日時と、表示部１４０によって当該画像の直前に表示された他の画像における撮像日時との差が、予め定められた基準値より小さい場合、当該他の画像に対応するとして選択した楽曲を、当該画像に対応する楽曲として選択してよい。ここで、予め定められた基準値とは、当該画像と、当該画像の直前に表示された他の画像とにおいて、例えば一度の旅行中に撮像された場合等、それぞれの画像の内容が類似していると利用者が考える場合における撮像日時の差の基準値であり、例えば３日等として定められていてよい。なお、ここで、画像情報として撮像日時を用いる例を説明したが、楽曲選択部２２０における処理はこの例に限定されず、楽曲選択部２２０は、撮像地点等の他の画像情報に基づいて、当該画像に対応する楽曲を選択してよい。
【００５６】
続いて、楽曲再生部２３０は、楽曲選択部２２０により選択された楽曲の再生を開始し、当該楽曲を示す音声信号を音声出力部２４０に出力することにより、音声出力部２４０に、当該楽曲を音声として出力させる（Ｓ１０３０）。ここで、楽曲再生部２３０は、楽曲選択部２２０により、当該画像の直前に表示された他の画像に対応するとして選択された楽曲が、当該画像に対応するとして選択された場合、既に再生されている当該楽曲を引き続き再生してよい。こうすることにより、互いの撮像日時が近接しているといった、画像の内容についても関連する、連続して再生及び表示される２つ以上の画像において、共通の楽曲をＢＧＭとして再生することができるので、再生する楽曲の切り替わりが頻繁に発生して、利用者に耳障りであると感じさせることを防止することができる。また、撮像日時が大きく変化するといった、画像の内容についての関連度が低い画像が切り替わって再生及び表示される場合には、ＢＧＭとして再生する楽曲を切り替えることができる。これにより、スライドショーにおける、画像と楽曲との一体感を、利用者により強く感じさせることができる。
【００５７】
また、楽曲再生部２３０は、遠隔操作部２１０が当該画像を再生させるべくＤＶＤ−Ｖｉｄｅｏ再生装置１１０を遠隔操作したタイミングに同期して、当該画像に対応する楽曲の再生を開始してもよい。こうすることにより、画像の再生が開始された直後に、当該画像に対応する楽曲の再生を開始することができるので、スライドショーにおける、画像と楽曲との一体感を、利用者により強く感じさせることができる。
【００５８】
続いて、遠隔操作部２１０は、ＤＶＤ−Ｖｉｄｅｏ再生装置１１０により当該画像が再生された状態で、ビデオストリームの再生を一時停止させるべく、ＤＶＤ−Ｖｉｄｅｏ再生装置１１０を遠隔操作する（Ｓ１０４０）。例えば、遠隔操作部２１０は、再生の一時停止を示す赤外線信号をＤＶＤ−Ｖｉｄｅｏ再生装置１１０に送信することにより、ビデオストリームの再生を一時停止させる。続いて、遠隔操作部２１０は、ＤＶＤ−Ｖｉｄｅｏ再生装置１１０にビデオストリームの再生を一時停止させた後、スケジュール格納部２０２に格納されているスケジュールにより示される、当該画像における再生持続時間が経過したか否かを判定する（Ｓ１０５０）。そして、遠隔操作部２１０が、未だ再生持続時間が経過していないと判定した場合（Ｓ１０５０：Ｎｏ）、電子アルバム表示システム１０は、処理をＳ１０５０に戻し、遠隔操作部２１０に、再生持続時間が経過したか否かを再度判定させる。
【００５９】
一方、再生持続時間が経過していると判定した場合、つまり、再生持続時間の間、ＤＶＤ−Ｖｉｄｅｏ再生装置１１０において一時停止状態が持続されていると判定した場合（Ｓ１０５０：Ｙｅｓ）、遠隔操作部２１０は、ＤＶＤ−Ｖｉｄｅｏ再生装置１１０におけるビデオストリームの再生の一時停止を解除させる（Ｓ１０６０）。具体的には、遠隔操作部２１０は、再生の一時停止の解除を示す赤外線信号をＤＶＤ−Ｖｉｄｅｏ再生装置１１０に送信することにより、ビデオストリームの再生の一時停止を解除させる。
【００６０】
そして、電子アルバム表示システム１０は、以上の処理を、電子アルバムに含まれる複数の画像のうち、少なくとも一部の画像のそれぞれについて繰り返す（Ｓ１０７０）。
【００６１】
本発明の実施形態に係る電子アルバム表示システム１０によれば、スケジュール格納部２０２に格納されているスケジュールに従って、ＤＶＤ−Ｖｉｄｅｏ再生装置１１０におけるビデオストリームの再生位置を順次変更することにより、ビデオストリームにおける構成及び順序とは異なる構成及び順序で、電子アルバムに含まれる画像をスライドショーとして順次表示することができる。
【００６２】
また、本発明の実施形態に係る電子アルバム表示システム１０によれば、スライドショーとして表示する画像が再生された状態で、ビデオストリームの再生を一時停止すると共に、スケジュール格納部２０２に格納されているスケジュールにより示される再生持続時間の間、一時停止状態を持続することにより、ビデオストリームにおいて予め定められた画像毎の表示時間とは異なる表示時間で、それぞれの画像を表示することができる。
【００６３】
更に、ビデオストリームの再生を一時停止して、それぞれの画像を表示させ続けることにより、ビデオストリームにおいてそれぞれの画像がフレーム画像として含まれる時間を、表示時間より短くすることができる。これにより、ビデオストリームの再生位置を変更したり、また再生を一時停止したりすることなくスライドショーを表示する場合に比べて、１枚のＤＶＤ−Ｖｉｄｅｏディスク１００に、より多くの画像を格納することができる。
【００６４】
なお、電子アルバム表示システム１０における処理の流れは、本図に示した内容に限定されず、本図に示した内容に多様な変更を加えてもよい。例えば、遠隔操作部２１０は、ビデオストリームの再生の一時停止を、次の画像を表示すべく再生位置を変更させた後で解除させてもよい。これにより、再生の一時停止を解除した後で、次の画像を示すフレーム画像に再生位置を変更する場合に、他の画像を示す不適切なフレーム画像が再生される様な、各画像の収録時間が短いビデオストリームを用いる場合であっても、不適切なフレーム画像が再生されることを防止することができる。また、ＤＶＤ−Ｖｉｄｅｏ再生装置１１０が、ビデオストリームの再生位置の変更に伴い、再生の一時停止を自動的に解除する場合には、遠隔操作部２１０は、再生の一時停止の解除を行わなくともよい。また、例えば、電子アルバムに含まれる複数の画像のそれぞれが含まれるチャプター内のＰＧＣ（Ｐｒｏｇｒａｍ  Ｃｈａｉｎ）の再生後に実行されるポストコマンドとして再生の一時停止が登録されている場合等のように、それぞれの画像を再生した状態で、ＤＶＤ−Ｖｉｄｅｏ再生装置１１０がビデオストリームの再生を一時停止するべく、ビデオストリームが作成されている場合、遠隔操作部２１０は、ビデオストリームの再生を一時停止させるべくＤＶＤ−Ｖｉｄｅｏ再生装置１１０を遠隔操作しなくともよい。
【００６５】
また、本例において、楽曲選択部２２０は、ＤＶＤ−Ｖｉｄｅｏ再生装置１１０により再生されている画像の画像情報のみに基づいて、当該画像の再生中にＢＧＭとして再生する楽曲を選択したが、これに代えて、連続して再生される複数の画像の画像情報に基づいて、当該複数の画像の再生中にＢＧＭとして再生される楽曲を選択してもよい。具体的には、楽曲選択部２２０は、連続して再生される複数の画像における撮像日時のすべてが含まれる期間を示す期間情報に対応する楽曲を、当該複数の画像の再生中にＢＧＭとして再生される楽曲として選択してもよい。また、楽曲選択部２２０は、連続して再生される複数の画像における撮像地点のすべてが含まれる地域を示す地域情報に対応する楽曲を、当該複数の画像の再生中にＢＧＭとして再生される楽曲として選択してもよい。また、楽曲選択部２２０は、連続して再生される複数の画像に共通する画像内容情報またはキーワードに対して高い関連度を示す楽曲内容情報またはキーワードに対応する楽曲を、当該複数の画像の再生中にＢＧＭとして再生される楽曲として選択してもよい。こうすることにより、連続して再生される複数の画像の何れにも適した楽曲を、一貫してＢＧＭとして再生することができるので、スライドショーにおける、画像と楽曲との一体感を、より強く利用者に感じさせることができる。
【００６６】
図９は、本発明の実施形態に係るコンピュータ１５００のハードウェア構成の一例を示すブロック図である。本発明の実施形態に係るコンピュータ１５００は、ホスト・コントローラ１５８２により相互に接続されるＣＰＵ１５０５、ＲＡＭ１５２０、グラフィック・コントローラ１５７５、及び表示装置１５８０を有するＣＰＵ周辺部と、入出力コントローラ１５８４によりホスト・コントローラ１５８２に接続される通信インターフェイス１５３０、ハードディスクドライブ１５４０、及びＤＶＤ−ＲＯＭドライブ１５６０を有する入出力部と、入出力コントローラ１５８４に接続されるＲＯＭ１５１０、フレキシブルディスク・ドライブ１５５０、及び入出力チップ１５７０を有するレガシー入出力部とを備える。
【００６７】
ホスト・コントローラ１５８２は、ＲＡＭ１５２０と、高い転送レートでＲＡＭ１５２０をアクセスするＣＰＵ１５０５及びグラフィック・コントローラ１５７５とを接続する。ＣＰＵ１５０５は、ＲＯＭ１５１０及びＲＡＭ１５２０に格納されたプログラムに基づいて動作し、各部の制御を行う。グラフィック・コントローラ１５７５は、ＣＰＵ１５０５等がＲＡＭ１５２０内に設けたフレーム・バッファ上に生成する画像データを取得し、表示装置１５８０上に表示させる。これに代えて、グラフィック・コントローラ１５７５は、ＣＰＵ１５０５等が生成する画像データを格納するフレーム・バッファを、内部に含んでもよい。
【００６８】
入出力コントローラ１５８４は、ホスト・コントローラ１５８２と、比較的高速な入出力装置である通信インターフェイス１５３０、ハードディスクドライブ１５４０、ＤＶＤ−ＲＯＭドライブ１５６０を接続する。また、入出力コントローラ１５８４は、コンピュータ１５００に設けられたスロットに挿入される等してコンピュータ１５００に接続されたメモリカード２００と通信し、メモリカード２００からプログラム又はデータを入力すると共に、メモリカード２００に、プログラム、又は、例えばコンピュータ１５００において作成されたスケジュールや楽曲データを出力する。通信インターフェイス１５３０は、ネットワークを介して他の装置と通信する。ハードディスクドライブ１５４０は、コンピュータ１５００内のＣＰＵ１５０５が使用するプログラム及びデータを格納する。ＤＶＤ−ＲＯＭドライブ１５６０は、ＤＶＤ−ＲＯＭ１５９５からプログラム又はデータを読み取り、ＲＡＭ１５２０を介してハードディスクドライブ１５４０に提供する。
【００６９】
また、入出力コントローラ１５８４には、ＲＯＭ１５１０と、フレキシブルディスク・ドライブ１５５０、及び入出力チップ１５７０の比較的低速な入出力装置とが接続される。ＲＯＭ１５１０は、コンピュータ１５００が起動時に実行するブート・プログラムや、コンピュータ１５００のハードウェアに依存するプログラム等を格納する。フレキシブルディスク・ドライブ１５５０は、フレキシブルディスク１５９０からプログラム又はデータを読み取り、ＲＡＭ１５２０を介してハードディスクドライブ１５４０に提供する。入出力チップ１５７０は、フレキシブルディスク・ドライブ１５５０や、例えばパラレル・ポート、シリアル・ポート、キーボード・ポート、マウス・ポート等を介して各種の入出力装置を接続する。
【００７０】
ＲＡＭ１５２０を介してハードディスクドライブ１５４０に提供されるプログラムは、フレキシブルディスク１５９０、ＤＶＤ−ＲＯＭ１５９５、又はＩＣカード等の記録媒体に格納されて利用者によって提供される。プログラムは、記録媒体から読み出され、ＲＡＭ１５２０を介してコンピュータ１５００内のハードディスクドライブ１５４０にインストールされ、ＣＰＵ１５０５において実行される。コンピュータ１５００にインストールされて実行されるプログラムは、ＣＰＵ１５０５等に働きかけて、コンピュータ１５００を、図１から図８にかけて説明したスケジュール生成装置１２０として機能させるスケジュール生成プログラムである。
【００７１】
また、メモリカード２００に出力されるプログラムは、フレキシブルディスク１５９０、ＤＶＤ−ＲＯＭ１５９５、又はＩＣカード等の記録媒体に格納されて利用者によって提供される。プログラムは、記録媒体から読み出され、ＲＡＭ１５２０を介してメモリカード２００に出力され、リモートコントローラ１３０に提供される。リモートコントローラ１３０に提供されるプログラムは、リモートコントローラ１３０においてインストールされて実行される。リモートコントローラ１３０にインストールされて実行されるプログラムは、リモートコントローラ１３０を、図１から図８にかけて説明したリモートコントローラ１３０として機能させるリモートコントロールプログラムである。なお、リモートコントローラ１３０に提供されるプログラムは、本図に示した形態に限定されず、他の形態でリモートコントローラ１３０に提供されてもよい。
【００７２】
以上に示したプログラムは、外部の記憶媒体に格納されてもよい。記憶媒体としては、フレキシブルディスク１５９０、ＤＶＤ−ＲＯＭ１５９５の他に、ＣＤやＰＤ等の光学記録媒体、ＭＤ等の光磁気記録媒体、テープ媒体、ＩＣカード等の半導体メモリ等を用いることができる。また、専用通信ネットワークやインターネットに接続されたサーバシステムに設けたハードディスク又はＲＡＭ等の記憶装置を記録媒体として使用し、ネットワークを介してプログラムをコンピュータ１５００に提供してもよい。
【００７３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００７４】
【図１】本発明の実施形態に係る電子アルバム表示システム１０の構成の一例を示すブロック図である。
【図２】本発明の実施形態に係るスケジュール格納部２０２の第１の例を示す図である。
【図３】本発明の実施形態に係る楽曲格納部２０４の第１の例を示す図である。
【図４】本発明の実施形態に係るスケジュール格納部２０２の第２の例を示す図である。
【図５】本発明の実施形態に係る楽曲格納部２０４の第２の例を示す図である。
【図６】本発明の実施形態に係るスケジュール格納部２０２の第３の例を示す図である。
【図７】本発明の実施形態に係る楽曲格納部２０４の第３の例を示す図である。
【図８】本発明の実施形態に係る電子アルバム表示システム１０における処理の流れの一例を示すフローチャートである。
【図９】本発明の実施形態に係るコンピュータ１５００のハードウェア構成の一例を示すブロック図である。
【符号の説明】
【００７５】
１０  電子アルバム表示システム、１００  ＤＶＤ−Ｖｉｄｅｏディスク、１１０  ＤＶＤ−Ｖｉｄｅｏ再生装置、１２０  スケジュール生成装置、１３０  リモートコントローラ、１４０  表示部、２００  メモリカード、２１０  遠隔操作部、２２０  楽曲選択部、２３０  楽曲再生部、２４０  音声出力部
【図１】
2005341511.tif 000003
【図２】
2005341511.tif 000004
【図３】
2005341511.tif 000005
【図４】
2005341511.tif 000006
【図５】
2005341511.tif 000007
【図６】
2005341511.tif 000008
【図７】
2005341511.tif 000009
【図８】
2005341511.tif 000010
【図９】
2005341511.tif 000011